(57)【要約】【課題】  粘着テープを携帯して保持し、足場の悪い所でも片手で切断することを可能とする。【解決手段】  ベルト通し孔２と引っ掛け片３をそれぞれ両端に備えた板状体１の表面に間隔をあけて２本の棒状のローラー４、５を設け、これらのローラー４、５に予め巻かれた粘着テープ体６を、一方のローラー４が粘着テープ体６の内側に、他方のローラー５が粘着テープ体６の外側に位置するように取り付け、一方の内側ローラー４の軸の先端にテープ体外れ防止部材８を設け、粘着テープ体６のテープ先端部９を他方の外側ローラー５の下側を通して引き出すようにした引出し部１０に、テープの固定切断部１１を設ける。【選択図】  図１
0003131621.tif 000002
【実用新案登録請求の範囲】
【請求項１】
ベルト通し孔を両端に備えた板状体の表面に間隔をあけて２本の棒状のローラーを設け、これらローラーに予め巻かれた粘着テープ体を、一方のローラーが粘着テープ体の内側に、他方のローラーが粘着テープ体の外側に位置するように取り付け、一方の内側ローラーの軸の先端にテープ体外れ防止部材を設け、粘着テープ体のテープ先端部を他方の外側ローラーの下側を通して引き出すようにした引出し物に、テープの固定切断部を設けたことを特徴とする携帯式粘着テープ保持切断具。
【請求項２】
引っ掛け片を両端に備えた板状体の表面に間隔をあけて２本の棒状のローラーを設け、これらローラーに予め巻かれた粘着テープ体を、一方のローラーが粘着テープ体の内側に、他方のローラーが粘着テープ体の外側に位置するように取り付け、一方の内側ローラーの軸の先端にテープ体外れ防止部材を設け、粘着テープ体のテープ先端部を他方の外側ローラーの下側を通して引き出すようにした引出し物に、テープの固定切断部を設けたことを特徴とする携帯式粘着テープ保持切断具。
【請求項３】
ベルト通し孔と引っ掛け片をそれぞれ両端に備えた板状体の表面に間隔をあけて２本の棒状のローラーを設け、これらローラーに予め巻かれた粘着テープ体を、一方のローラーが粘着テープ体の内側に、他方のローラーが粘着テープ体の外側に位置するように取り付け、一方の内側ローラーの軸の先端にテープ体外れ防止部材を設け、粘着テープ体のテープ先端部を他方の外側ローラーの下側を通して引き出すようにした引出し物に、テープの固定切断部を設けたことを特徴とする携帯式粘着テープ保持切断具。
【請求項４】
裏面に少なくとも１個の引っ掛け用部材を備えた板状体の表面に間隔をあけて２本の棒状のローラーを設け、これらローラーに予め巻かれた粘着テープ体を、一方のローラーが粘着テープ体の内側に、他方のローラーが粘着テープ体の外側に位置するように取り付け、一方の内側ローラーの軸の先端にテープ体外れ防止部材を設け、粘着テープ体のテープ先端部を他方の外側ローラーの下側を通して引き出すようにした引出し物に、テープの固定切断部を設けたことを特徴とする携帯式粘着テープ保持切断具。
【請求項５】
テープ体外れ防止部材が、内側ローラーの軸にほぼ垂直に固定された上向き片である請求項１〜４のいずれかに記載の携帯式粘着テープ保持切断具。
【考案の詳細な説明】
【技術分野】
【０００１】
本考案は、ガムテープ、セロファンテープ、電気工事用テープ、医療用テープなどの粘着テープを携帯して保持し、足場の悪い所でも片手で切断することができる携帯式粘着テープ保持切断具に関する。
【背景技術】
【０００２】
従来のセロファンテープなどのテープカッターは、携帯に不向きなものであったり、携帯することができても、使用する際には両手を必要としていた。
また、ガムテープ等の大型の粘着テープについては、携帯式の粘着テープ保持切断具は提案されていない。
【０００３】
粘着テープを、脚立の上などの足場の悪い所で使用する場合、粘着テープの置き場所がなかったり、粘着テープを切り取る時に両手を必要とするため、取り付けようとする物の固定が困難で、作業効率が悪く、かつ危険であるなどの問題があった。
【考案の開示】
【考案が解決しようとする課題】
【０００４】
解決しようとする問題点は、粘着テープを足場の悪い場所で使用する場合、上記のように、テープの切断などの取扱いに両手を要し、またテープを落としたりして、作業の能率が悪く、危険であるという点がある。
【課題を解決するための手段】
【０００５】
本考案は、粘着テープを携帯できるようにし、かつ、ズボンのベルトや衣服のポケットなどに取り付けるようにし、しかも、片手でテープを引き出して切断することができることを最も主要な特徴とする。
【０００６】
本考案の携帯式粘着テープ保持切断具は、ベルト通し孔を両端に備えた板状体の表面に間隔をあけて２本の棒状のローラーを設け、これらのローラーに予め巻かれた粘着テープ体を、一方のローラーが粘着テープ体の内側に、他方のローラーが粘着テープ体の外側に位置するように取り付け、一方の内側ローラーの軸の先端にテープ体外れ防止部材を設け、粘着テープ体のテープ先端部を他方の外側ローラーの下側を通して引き出すようにした引出し部に、テープの固定切断部を設けたことを特徴としている。
【０００７】
また、本考案の携帯式粘着テープ保持切断具は、引っ掛け片を両端に備えた板状体の表面に間隔をあけて２本の棒状のローラーを設け、これらのローラーに予め巻かれた粘着テープ体を、一方のローラーが粘着テープ体の内側に、他方のローラーが粘着テープ体の外側に位置するように取り付け、一方の内側ローラーの軸の先端にテープ体外れ防止部材を設け、粘着テープ体のテープ先端部を他方の外側ローラーの下側を通して引き出すようにした引出し部に、テープの固定切断部を設けたことを特徴としている。
【０００８】
また、本考案の携帯式粘着テープ保持切断具は、ベルト通し孔と引っ掛け片をそれぞれ両端に備えた板状体の表面に間隔をあけて２本の棒状のローラーを設け、これらのローラーに予め巻かれた粘着テープ体を、一方のローラーが粘着テープ体の内側に、他方のローラーが粘着テープ体の外側に位置するように取り付け、一方の内側ローラーの軸の先端にテープ体外れ防止部材を設け、粘着テープ体のテープ先端部を他方の外側ローラーの下側を通して引き出すようにした引出し部に、テープの固定切断部を設けたことを特徴としている。
【０００９】
さらに、本考案の携帯式粘着テープ保持切断具は、裏面に少なくとも１個の引っ掛け用部材を備えた板状体の表面に間隔をあけて２本の棒状のローラーを設け、これらのローラーに予め巻かれた粘着テープ体を、一方のローラーが粘着テープ体の内側に、他方のローラーが粘着テープ体の外側に位置するように取り付け、一方の内側ローラーの軸の先端にテープ体外れ防止部材を設け、粘着テープ体のテープ先端部を他方の外側ローラーの下側を通して引き出すようにした引出し部に、テープの固定切断部を設けたことを特徴としている。
【００１０】
これらの携帯式粘着テープ保持切断具において、テープ体外れ防止部材が、内側ローラーの軸にほぼ垂直に固定された上向き片であるように構成される。
【考案の効果】
【００１１】
本考案の携帯式粘着テープ保持切断具により、持ち運びが容易になり、片手でテープを切り取ることができるので、高所での作業を安全かつ迅速に行うことができる。また、粘着テープを携帯することで、粘着テープの置き場所にも困ることはない。
【考案を実施するための最良の形態】
【００１２】
粘着テープを携帯して片手で容易に引き出し切断するという目的を、ズボンのベルトや衣服に取り付けることができる板状体に粘着テープを取り付ける構成とすることにより実現した。
以下、本考案の実施の形態について説明するが、本考案は下記の実施の形態に何ら限定されるものではなく、適宜変更して実施することができるものである。図１は、本考案の実施の第１形態による携帯式粘着テープ保持切断具の斜視図である。図２は同正面図、図３は同平面図、図４は同右側面図である。なお、図２〜図４では、粘着テープ体を二点鎖線で表している。また、図５はテープの固定切断部の拡大図、図６は外側ローラーの拡大図、図７は内側ローラー及びテープ体外れ防止部材の拡大図である。
【００１３】
図１〜図７において、１は板状体で、この板状体１はベルト通し孔２と引っ掛け片３をそれぞれ両端に備えている。この板状体１の表面に間隔をあけて２本の棒状のローラー４、５が設けられ、これらのローラー４、５に予め巻かれた粘着テープ体６を、一方のローラー４が粘着テープ体の内側に、他方のローラー５が粘着テープ体の外側に位置するように取り付けられている。また、図７に示すように、、一方の内側ローラー４の軸７の先端には、テープ体外れ防止部材８が設けられている。粘着テープ体６のテープ先端部９を他方の外側ローラー５の下側を通して引き出すようにした引出し部１０に、テープの固定切断部１１が設けられている。テープ体外れ防止部材８は、一例として、内側ローラーの軸にほぼ垂直に固定された上向き片を示しているが、この形状に限るものではない。また、内側ローラー４と外側ローラー５とは、粘着テープ体６を取り付けることができる程度に離して設けることが必要であり、内側ローラー４のやや下側に外側ローラー５を設け、外側ローラーよりやや上側にテープの固定切断部１１を設けるように構成することが望ましい。
【００１４】
テープの固定切断部１１は、一例として、図５に示すように、棒状体の上部外側に鋸歯状部（ギザギザ部）からなる切断部１２が設けられ、棒状体の上部内側をテープの粘着力によるテープ固定部１３としたものである。このテープの固定切断部は、図５に示すものの形状に限られるものではない。図６における１４は外側ローラーの軸、１５はローラー抜け止め用部材、図１および図２における１６は切り欠き部である。
【００１５】
上記のように構成された携帯式粘着テープ保持切断具を使用する場合、ベルト通し孔２にズボンのベルトを通して固定するか、又は引っ掛け片３をズボンのベルト、衣服のポケットなどに引っ掛けて固定する。粘着テープ体６を内側ローラー４と外側ローラー５との間に取り付け、テープ体外れ防止部材８で粘着テープ体６が外れないようにする。外側ローラー５の下側にテープの先端を通過させ、さらにテープの固定切断部１１の上を通過させ、テープの先端を斜め下に引っ張ると片手で容易に切断することができる。
さらに粘着テープを取り出す場合は、粘着テープが自身の粘着力で固定切断部１１のテープ固定部１３に貼りついて固定されているので、引出し部１０の粘着テープを指で持ち、貼りついている粘着テープが外れるまで斜め左上に持ち上げ、必要な長さ分を上記と同じ手順で引き出して切断する。テープ保持切断具を体に固定しているので、粘着テープを片手で必要な分だけ切り取ることができる。なお、ベルト通し孔２、引っ掛け片３のいずれかを省略することも可能である。
【００１６】
図８及び図９は、本考案の実施の第２形態による携帯式粘着テープ保持切断具を示している。本例は、板状体１の裏面に２個の引っ掛け用部材１７、例えば引っ掛け用のフックを設けたものである。この引っ掛け用部材１７にズボンのベルトを通したり、又は引っ掛け用部材１７を衣服のポケットなどに引っ掛けて固定し携帯する。図１０に示すように、引っ掛け用部材１７ａを１個とすることもでき、また、３個以上としても差し支えない。他の構成及び作用は実施の第１形態の場合と同様である。
【図面の簡単な説明】
【００１７】
【図１】本考案の実施の第１形態による携帯式粘着テープ保持切断具の斜視図である。
【図２】同正面図である。
【図３】同平面図である。
【図４】同右側面図である。
【図５】テープの固定切断部の拡大図である。
【図６】外側ローラーの拡大図である。
【図７】内側ローラー及びテープ体外れ防止部材の拡大図である。
【図８】本考案の実施の第２形態による携帯式粘着テープ保持切断具における板状体裏面の一例を示す斜視図である。
【図９】同断面図である。
【図１０】板状体裏面の他の例を示す斜視図である。
【符号の説明】
【００１８】
１  板状体
２  ベルト通し孔
３  引っ掛け片
４  一方のローラー（内側ローラー）
５  他方のローラー（外側ローラー）
６  粘着テープ体
７  内側ローラーの軸
８  テープ体外れ防止部材
９  テープ先端部
１０  引出し部
１１  テープの固定切断部
１２  切断部
１３  固定部
１４  外側ローラーの軸
１５  ローラー抜け止め用部材
１６  切り欠き部
１７、１７ａ  引っ掛け用部材
【図１】
0003131621.tif 000003
【図２】
0003131621.tif 000004
【図３】
0003131621.tif 000005
【図４】
0003131621.tif 000006
【図５】
0003131621.tif 000007
【図６】
0003131621.tif 000008
【図７】
0003131621.tif 000009
【図８】
0003131621.tif 000010
【図９】
0003131621.tif 000011
【図１０】
0003131621.tif 000012